(57)【要約】【課題】任意の方向に投影可能となるプロジェクタを提供する。【解決手段】プロジェクタ１は、球形に形成されて外周面に各通気孔２１が設けられたプロジェクタ本体２と、このプロジェクタ本体２が上面部に載置される載置台３と、この載置台３の底面部に配置される冷却ファン４等とから構成されている。また、載置台３の上面部には、球形のプロジェクタ本体２の外周面と面接触して該プロジェクタ本体２が載置される凹部５が形成されている。また、凹部５の底面部には、プロジェクタ本体２の外周面と面接触する部分が平面視略リング状になるようにすり鉢状に窪む窪み部７が形成されている。また、この窪み部７の底面部には、載置台３の底面部の幅方向中央部分の長手方向両端に渡って形成された所定深さの吹出溝８に連通する連通孔１０が形成され、この連通孔１０の下側に冷却ファン４が配置されている。【選択図】図１
2009075509.tif 000002
【特許請求の範囲】
【請求項１】
球形のプロジェクタ本体と、
前記プロジェクタ本体が上面部に載置される載置台と、
前記載置台に設けられる冷却ファンと、
を備え、
前記載置台は、
上面部に形成されて前記プロジェクタ本体の外周面の一部と接触して該プロジェク
タ本体が載置される凹部と、
電力を前記プロジェクタ本体へ供給する給電手段と、
を有し、
前記プロジェクタ本体には、
光源装置と、
入力された駆動信号に基づいて前記光源から射出された光束を変調する光変調装置
と、
前記光変調装置に駆動信号を出力する駆動回路と、
前記光変調装置にて変調された映像光を該プロジェクタ本体の外周面から投射する
結像光学装置と、
前記給電手段から供給される電力を受電する受電手段と、
を有し、
前記プロジェクタ本体内部は、前記冷却ファンによって冷却されることを特徴とするプロジェクタ。
【請求項２】
前記載置台は、前記凹部の平面視内側部分に形成されて該凹部に載置された前記プロジェクタ本体の外周面と隙間を形成する窪み部を有し、
前記プロジェクタ本体は、外周面に形成される複数の通気孔を有し、
前記複数の通気孔は、該プロジェクタ本体が前記凹部に載置された場合に、前記窪み部に対向する外周面と前記凹部と対向しない外周面とに設けられるように形成され、
前記窪み部と前記冷却ファンとが連通されていることを特徴とする請求項１に記載のプロジェクタ。
【請求項３】
前記載置台は、前記凹み部に載置された前記プロジェクタ本体を検出するプロジェクタ検出手段と、
前記プロジェクタ検出手段を介して前記プロジェクタ本体を検出した場合にのみ前記冷却ファンを駆動するように制御するファン制御手段と、
を有することを特徴とする請求項１又は請求項２に記載のプロジェクタ。
【請求項４】
前記プロジェクタ本体は、二次電池と、
前記受電手段によって受電された電力で前記二次電池を充電する充電手段と、
前記受電手段によって受電された電力を検出する電力検出手段と、
前記電力検出手段で前記受電手段によって受電された電力を検出した場合には、該受電手段によって受電した電力で駆動するように制御し、前記電力検出手段で前記受電手段によって受電された電力を検出しない場合には、前記二次電池の電力で駆動するように制御する駆動制御手段と、
を有することを特徴とする請求項１乃至請求項３のいずれかに記載のプロジェクタ。
【請求項５】
前記プロジェクタ本体は、前記光源装置の出力を複数段階に変更する出力変更手段を有し、
前記駆動制御手段は、前記二次電池の電力で駆動する場合には、前記出力変更手段を介して前記光源装置の出力を低下させて駆動するように制御することを特徴とする請求項４に記載のプロジェクタ。
【請求項６】
前記光源装置は、固体発光素子で構成されていることを特徴とする請求項１乃至請求項５のいずれかに記載のプロジェクタ。
【発明の詳細な説明】
【技術分野】
【０００１】
本発明は、プロジェクタに関するものである。
【背景技術】
【０００２】
従来より、プロジェクタが種々提案されている。
例えば、パン角（方位角）及びチルト角（高度角）方向に自在に回転可能な雲台を装備した雲台付き液晶プロジェクタがある（例えば、特許文献１参照。）。
【特許文献１】特開２００２−１７１５１８号公報（段落（００１７）〜（００４１）、図１〜図７）
【発明の開示】
【発明が解決しようとする課題】
【０００３】
しかしながら、上述した特許文献１に記載される構成では、液晶プロジェクタの投影方向が、液晶プロジェクタに接続される電源コード類や雲台の機械的構造によって規制されるという問題がある。
【０００４】
そこで、本発明は、上述した問題点を解決するためになされたものであり、任意の方向に投影可能となるプロジェクタを提供することを目的とする。
【課題を解決するための手段】
【０００５】
前記目的を達成するため請求項１に係るプロジェクタは、球形のプロジェクタ本体と、前記プロジェクタ本体が上面部に載置される載置台と、前記載置台に設けられる冷却ファンと、を備え、前記載置台は、上面部に形成されて前記プロジェクタ本体の外周面の一部と接触して該プロジェクタ本体が載置される凹部と、電力を前記プロジェクタ本体へ供給する給電手段と、を有し、前記プロジェクタ本体には、光源装置と、入力された駆動信号に基づいて前記光源から射出された光束を変調する光変調装置と、前記光変調装置に駆動信号を出力する駆動回路と、前記光変調装置にて変調された映像光を該プロジェクタ本体の外周面から投射する結像光学装置と、前記給電手段から供給される電力を受電する受電手段と、を有し、前記プロジェクタ本体内部は、前記冷却ファンによって冷却されることを特徴とする。
【０００６】
また、請求項２に係るプロジェクタは、請求項１に記載のプロジェクタにおいて、前記載置台は、前記凹部の平面視内側部分に形成されて該凹部に載置された前記プロジェクタ本体の外周面と隙間を形成する窪み部を有し、前記プロジェクタ本体は、外周面に形成される複数の通気孔を有し、前記複数の通気孔は、該プロジェクタ本体が前記凹部に載置された場合に、前記窪み部に対向する外周面と前記凹部と対向しない外周面とに設けられるように形成され、前記窪み部と前記冷却ファンとが連通されていることを特徴とする。
【０００７】
また、請求項３に係るプロジェクタは、請求項１又は請求項２に記載のプロジェクタにおいて、前記載置台は、前記凹み部に載置された前記プロジェクタ本体を検出するプロジェクタ検出手段と、前記プロジェクタ検出手段を介して前記プロジェクタ本体を検出した場合にのみ前記冷却ファンを駆動するように制御するファン制御手段と、を有することを特徴とする。
【０００８】
また、請求項４に係るプロジェクタは、請求項１乃至請求項３のいずれかに記載のプロジェクタにおいて、前記プロジェクタ本体は、二次電池と、前記受電手段によって受電された電力で前記二次電池を充電する充電手段と、前記受電手段によって受電された電力を検出する電力検出手段と、前記電力検出手段で前記受電手段によって受電された電力を検出した場合には、該受電手段によって受電した電力で駆動するように制御し、前記電力検出手段で前記受電手段によって受電された電力を検出しない場合には、前記二次電池の電力で駆動するように制御する駆動制御手段と、を有することを特徴とする。
【０００９】
また、請求項５に係るプロジェクタ、請求項４に記載のプロジェクタにおいて、前記プロジェクタ本体は、前記光源装置の出力を複数段階に変更する出力変更手段を有し、前記駆動制御手段は、前記二次電池の電力で駆動する場合には、前記出力変更手段を介して前記光源装置の出力を低下させて駆動するように制御することを特徴とする。
【００１０】
更に、請求項６に係るプロジェクタは、請求項１乃至請求項５のいずれかに記載のプロジェクタにおいて、前記光源装置は、固体発光素子で構成されていることを特徴とする。
【発明の効果】
【００１１】
請求項１に係るプロジェクタでは、球形のプロジェクタ本体が上面部に載置される載置台に設けられた給電手段から電力を当該プロジェクタ本体へ供給することが可能となる。従って、球形のプロジェクタ本体を載置台の上面部に形成された凹部に任意の方向に向けて載置することが可能となり、投影方向を自由自在に変更して映像を任意の方向へ容易に投射することが可能となる。
また、載置台にプロジェクタ本体内部を冷却する冷却ファンを設けることによって、プロジェクタ本体の小型化を図ることが可能となると共に、プロジェクタ本体内に配置される光源装置等を冷却して光源の明るさ十分確保することが可能となる。
【００１２】
また、請求項２に係るプロジェクタでは、冷却ファンを駆動することによって、プロジェクタ本体の凹部と対向しない外周面に形成される通気孔から、載置台の凹部に形成された窪み部に対向する外周面に形成される通気孔へ空気を流すことが可能となる。これにより、プロジェクタ本体内部を冷却して、このプロジェクタ本体の光源装置の出力の増大化を図ることが可能となる。
【００１３】
また、請求項３に係るプロジェクタでは、プロジェクタ本体が載置台の凹部に載置された場合にのみ冷却ファンを駆動することが可能となり、省電力化を図ることが可能となる。
【００１４】
また、請求項４に係るプロジェクタでは、プロジェクタ本体に二次電池を設けることによって、当該プロジェクタ本体だけを持ち運び、自由な場所に置いて任意の方向に映像を投影することが可能となる。
【００１５】
また、請求項５に係るプロジェクタでは、プロジェクタ本体を二次電池の電力で駆動する場合には、出力変更手段を介して光源装置の出力を低下させて駆動するため、冷却ファンを設ける必要が無くなると共に、投影時間を伸ばすことが可能となる。
【００１６】
更に、請求項６に係るプロジェクタでは、光源装置を固体発光素子で構成することにより、プロジェクタ本体の消費電力の更なる低減化を図ることが可能となる。
【発明を実施するための最良の形態】
【００１７】
以下、本発明に係るプロジェクタについて具体化した一実施例に基づき図面を参照しつつ詳細に説明する。
【実施例】
【００１８】
先ず、本実施例に係るプロジェクタ１の概略構成について図１乃至図３に基づき説明する。
図１はプロジェクタ１の概略構成を模式的に示す図である。図２はプロジェクタ本体２を載置台３に載置して真上へ投影する状態の断面図である。図３は図２のＸ１−Ｘ１矢視断面図である。
【００１９】
図１乃至図３に示すように、プロジェクタ１は、球形に形成されたプロジェクタ本体２と、このプロジェクタ本体２が上面部に載置される載置台３と、この載置台３の底面部に配置される冷却ファン４等とから構成されている。また、載置台３の上面部には、球形のプロジェクタ本体２の外周面と面接触して該プロジェクタ本体２が載置される凹部５が形成されている。尚、この凹部５は、プロジェクタ本体２が水平に投影可能な深さに形成され、該プロジェクタ本体２の投影方向を水平にした場合に、投射レンズ６の下端部が載置台３の上面部より所定高さ上側に位置している（図８参照）。
【００２０】
また、凹部５の底面部には、プロジェクタ本体２の外周面と面接触する部分が平面視略リング状になるようにすり鉢状に窪む窪み部７が形成されている。これにより、凹部５に載置されたプロジェクタ本体２の外周面と窪み部７との間に所定隙間が形成される。また、載置台３の底面部の幅方向中央部分には、長手方向両端に渡って形成された所定深さの吹出溝８が形成されている。そして、この窪み部７の底面部には、吹出溝８に連通する連通孔１０が形成されている。また、冷却ファン４はこの連通孔１０の下側に配置され、プロジェクタ本体２と窪み部７との隙間内の空気を連通孔１０及び吹出溝８から載置台３の外部に排出するように設けられている。
【００２１】
また、載置台３には、外部の商用電源（例えば、約ＡＣ１００Ｖである。）に接続されて、入力された交流電力を所定電圧の直流電力に変換して供給する電源ユニット１２が設けられている。また、この電源ユニット１２には、冷却ファン４が接続されている。また、電源ユニット１２には、該電源ユニット１２から入力される所定電圧の直流電力を所定周波数の交流電力に変換して給電コイル１３へ出力する給電回路部１５が接続されている。そして、給電コイル１３は、凹部５の周面に沿って配置され、給電回路部１５から入力された交流電力を電磁波による磁束エネルギーに変換して発振する。
【００２２】
また、載置台３には、この給電コイル１３に流れる電流を検出する検知回路１６（図４参照）や、ＣＰＵ１７（図４参照）や不図示のＲＡＭ、ＥＥＰＲＯＭ等が配設されて、この検知回路１６の出力に基づいて給電回路部１５及び冷却ファン４を駆動制御するコントローラユニット１８が設けられている。
尚、検知回路１６に替えて反射型フォトセンサ等を凹部５の周面に配置して、プロジェクタ本体２の有・無を検出するようにしてもよい。
【００２３】
また、プロジェクタ本体２の外周面には、複数の通気孔２１が形成されている。そして、後述のように冷却ファン４を駆動することによって、プロジェクタ本体２の載置台３の外側の外周面に形成された各通気孔２１からプロジェクタ本体２内に空気が流れ込み、プロジェクタ本体２の窪み部７に対向する外周面に形成された各通気孔２１からプロジェクタ本体２の外部へ排出され、当該プロジェクタ本体２の内部が冷却される（図７、図８参照）。
【００２４】
また、図２及び図３に示すように、プロジェクタ本体２の内部には、光源装置２２と、色合成光学装置としてのクロスダイクロイックプリズム２３と、互いに偏光方向が直交する各偏光板２４、２４と、各偏光板２４、２４に挟まれて配置される光変調装置としての透過型ＬＣＤ（LiquidCrystal Display）等で構成される光変調素子２５と、結像光学装置としての投射レンズ６とが配置されている。また、この投射レンズ６の外側端面部は、プロジェクタ本体２の外周面の一部を形成している。
【００２５】
この光源装置２２は、赤色光を射出する赤色発光ＬＥＤ２２Ｒと、緑色光を射出する緑色発光ＬＥＤ２２Ｇと、青色光を射出する青色発光ＬＥＤ２２Ｂとから構成され、クロスダイクロイックプリズム２３の側面三方にそれぞれ対向するように配置されている。そして、各ＬＥＤ２２Ｒ、２２Ｇ、２２Ｂは、金属等の熱伝導性の高い材料によって形成されたヒートシンク２６に支持固定されている。
【００２６】
また、プロジェクタ本体２の内部には、載置台３の給電コイル１３から発振された磁束エネルギーを交流電流に変換して出力する受電コイル２８Ａが、投射レンズ６の中心軸に直交するように、受電コイル２８Ｂと受電コイル２８Ｃが、投射レンズを遮らず、互いになるべく直交すると共に受電コイル２８Ａとなるべく直交するように外周面に沿って配設されている。また、プロジェクタ本体２の内部には、着脱自在に搭載されて各種デバイスに電力を供給する二次電池３０を備えている。また、受電コイル２８から出力された交流電力を直流電力にして駆動電源として各種デバイスに出力すると共に、二次電池３０に出力して充電する電源回路部３１（図５参照）が設けられている。
【００２７】
次に、載置台３の回路構成について図４に基づいて説明する。図４は載置台３の回路構成を示す回路ブロック図である。
図４に示すように、載置台３は、コントローラユニット１８に配置されるＣＰＵ１７や不図示のＲＡＭ、ＥＥＰＲＯＭ等と、冷却ファン４を駆動制御するファン駆動回路部３５と、電源ユニット１２から入力される所定電圧の直流電力を所定周波数の交流電力に変換して給電コイル１３へ出力する給電回路部１５と、給電コイル１３に流れる電流を検出する検知回路１６等を備えている。
【００２８】
また、ＣＰＵ１７、給電回路部１５、検知回路１６、ファン駆動回路部３５は、バス線３６により相互に接続されて、相互にデータのやり取りが行われる。そして、ＣＰＵ１７は、検知回路１６を介して給電コイル１３に流れる電流を検出しない場合には、プロジェクタ本体２が載置台３から取り外されたと判定して、ファン駆動回路部３５を介して冷却ファン４の駆動を停止するように制御する。一方、ＣＰＵ１７は、検知回路１６を介して給電コイル１３に流れる電流を検出した場合には、プロジェクタ本体２が載置台３に載置されたと判定して、ファン駆動回路部３５を介して冷却ファン４の駆動を開始するように制御する。
【００２９】
尚、ファン駆動回路部３５が検知回路１６の出力に基づいて、給電コイル１３に流れる電流を検出しない場合には、冷却ファン４を停止し、給電コイル１３に流れる電流を検出した場合には、冷却ファン４を駆動するようにしてもよい。
【００３０】
次に、プロジェクタ本体２の回路構成について図５に基づいて説明する。図５はプロジェクタ本体２の回路構成をしめす回路ブロック図である。
図５に示すように、プロジェクタ本体２は、ＣＰＵ４１、無線通信やＳＤメモリカードを介して画像データを読み込む読込部４２、操作パネル４３、各受電コイル２８Ａ、２８Ｂ、２８Ｃの電流を検出する検知回路４４、各受電コイル２８Ａ、２８Ｂ、２８Ｃから出力された交流電力を直流電力にして駆動電源として各種デバイスに出力すると共に、二次電池３０に出力して充電する電源回路部３１と、赤色発光ＬＥＤ制御回路部４５Ｒ、緑色発光ＬＥＤ制御回路部４５Ｇ、青色発光ＬＥＤ制御回路部４５Ｂ、各ＬＥＤ２２Ｒ、２２Ｇ、２２Ｂ、照明光学系としてのクロスダイクロイックプリズム２３、光変調素子２５、結像光学系としての投射レンズ６、画像処理回路部４６、画像処理回路部４６に接続される映像記憶メモリ４７、光変調素子ドライブ回路４８、不図示のＲＡＭやＲＯＭ等を備えている。また、電源回路部３１には、二次電池３０へ充電する充電状態、又は、この二次電池３０から各種デバイスへ直流電力を出力する電池駆動状態に切り換える切換回路３１Ａが設けられている。
【００３１】
また、ＣＰＵ４１、不図示のＲＡＭやＲＯＭ、読込部４２、操作パネル４３、検知回路４４、各ＬＥＤ制御回路部４５Ｒ、４５Ｇ、４５Ｂ、画像処理回路部４６は、バス線５０により相互に接続されて、相互にデータのやり取りが行われる。また、赤色発光ＬＥＤ制御回路部４５Ｒには、赤色発光ＬＥＤ２２Ｒが接続されている。また、緑色発光ＬＥＤ制御回路部４５Ｇには、緑色発光ＬＥＤ２２Ｇが接続されている。また、青色発光ＬＥＤ制御回路部４５Ｂには、青色発光ＬＥＤ２２Ｂが接続されている。また、画像処理回路部４６には光変調素子２５を駆動制御する光変調素子ドライブ回路４８が接続されている。
【００３２】
また、ＣＰＵ４１は、プロジェクタ本体２の全体を制御し、プロジェクタ本体２の動作に関する全てのデータを管理する。また、操作パネル４３は、電源キー、投射開始キー、投射停止キー等から構成されている。尚、読込部４２は、無線通信や赤外線通信等により投影情報としてのファイルやフォルダを読み込み可能に構成されると共に、ＳＤメモリカードに格納される投影情報としてのファイルやフォルダを読み込み可能に構成されている。尚、読込部４２には、ＳＤメモリカードに限らず、ＵＳＢメモリ等の携帯型記憶媒体も装着可能に構成され、ＵＳＢメモリ等に格納される投影情報としてのファイルやフォルダを  読み込み可能に構成されている。そして、ＣＰＵ４１は、読込部４２を介して読み込んだ投影情報を映像記憶メモリ４７に格納する。
【００３３】
また、各ＬＥＤ制御回路部４５Ｒ、４５Ｇ、４５Ｂは、操作パネル４３から入力されたＯＮ／ＯＦＦ信号に基づいて、それぞれに接続される各ＬＥＤ２２Ｒ、２２Ｇ、２２ＢをＯＮ／ＯＦＦさせると共に、各ＬＥＤ２２Ｒ、２２Ｇ、２２Ｂの発光に必要な電圧や電力を制御する。
【００３４】
また、画像処理回路部４６は、映像記憶メモリ４７に記憶される投影情報としてのファイルやファイルを含むフォルダの画像データを所定フォーマットの映像信号に変換して光変調素子ドライブ回路４８に出力する。そして、光変調素子ドライブ回路４８は、画像処理回路部４６から入力された映像信号に基づいて、透過型ＬＣＤ（LiquidCrystal Display）等で構成される光変調素子２５を駆動制御して、各ＬＥＤ２２Ｒ、２２Ｇ、２２Ｂ及びクロスダイクロイックプリズム２３を経て入射された光を変調し、投射されるべき画像を生成する。そして、光変調素子２５によって変調された光は、投射レンズ６によって拡大されてスクリーン５１に対して所定サイズで投射される。
【００３５】
ここで、プロジェクタ本体２の駆動電源の切換について図２及び図６に基づいて説明する。図６はプロジェクタ本体２を載置台３から取り外して真上へ投影する状態の断面図である。
【００３６】
図２に示すように、プロジェクタ本体２が載置台３に載置されている場合には、各受電コイル２８Ａ、２８Ｂ、２８Ｃの電流を検出した検出信号が、検知回路４４から電源回路部３１へ出力される。これにより、電源回路部３１は、各受電コイル２８Ａ、２８Ｂ、２８Ｃから出力された交流電力を直流電力にして駆動電源として各種デバイスに出力すると共に、切換回路３１Ａを介して二次電池３０を充電する。
【００３７】
また、ＣＰＵ４１は、各受電コイル２８Ａ、２８Ｂ、２８Ｃの電流を検出した検出信号が、検知回路４４から入力された場合には、各ＬＥＤ制御回路部４５Ｒ、４５Ｇ、４５Ｂを介して通常電力を各ＬＥＤ２２Ｒ、２２Ｇ、２２Ｂに供給して、通常出力で発光させるように制御する。
【００３８】
一方、図６に示すように、プロジェクタ本体２が載置台３から取り外された場合には、各受電コイル２８Ａ、２８Ｂ、２８Ｃの電流を検出した検出信号が、検知回路４４から電源回路部２１へ出力されない。これにより、電源回路部３１は、切換回路３１Ａを介して二次電池３０を駆動電源として直流電力を各種デバイスに出力する。
【００３９】
また、ＣＰＵ４１は、各受電コイル２８Ａ、２８Ｂ、２８Ｃの電流を検出した検出信号が、検知回路４４から入力されていない場合には、各ＬＥＤ制御回路部４５Ｒ、４５Ｇ、４５Ｂを介して通常電力よりも少ない電力を各ＬＥＤ２２Ｒ、２２Ｇ、２２Ｂに供給して、出力を低下させて発光させ、冷却ファン４でプロジェクタ本体２の内部を冷却する必要が無いように制御する。尚、各ＬＥＤ制御回路部４５Ｒ、４５Ｇ、４５Ｂは、各ＬＥＤ２２Ｒ、２２Ｇ、２２Ｂに供給する電力を少なくとも２段階（例えば、通常電力と、通常電力の５０％等の電力の２段階である。また例えば、通常電力と、通常電力の６０％と３０％等の電力の３段階である。）に変更可能に構成されている。
【００４０】
次に、冷却ファン４の駆動によって形成される空気の流通路について図７及び図８に基づいて説明する。図７はプロジェクタ本体２を載置台３に載置して真上へ投影する状態における、冷却ファン４の駆動によって形成される空気の流通路５５の一例を示す断面図である。図８はプロジェクタ本体２を載置台３に載置してほぼ水平に投影する状態における、冷却ファン４の駆動によって形成される空気の流通路５５の一例を示す断面図である。
【００４１】
図７及び図８に示すように、冷却ファン４を矢印Ｘ２方向に回転させて連通孔１０からファン回転軸方向に沿って空気を吸入させることによって、先ず、プロジェクタ本体２の凹部５の外側に対向する各通気孔２１から、該プロジェクタ本体２の内部に導入される空気の流通路５５が形成される。そして、導入された空気は、プロジェクタ本体２の内部空間に配置される光変調素子２５や各ヒートシンク２６等の表面に沿って流通する流通路５５を形成する。ここで、導入された空気が、各ヒートシンク２６等の表面に沿って流通する際、各ＬＥＤ２２Ｒ、２２Ｇ、２２Ｂから熱が伝達された当該各ヒートシンク２６が冷却されるため、各ＬＥＤ２２Ｒ、２２Ｇ、２２Ｂを効果的に冷却することができる。
【００４２】
そして、プロジェクタ本体２の内部空間を流通した空気は、凹部５内の窪み部７に対向する各通気孔２１から該窪み部７に向けて吐出され、連通孔１０内を流通し、冷却ファン４に、吸入される流通路５５を形成する。この冷却ファン４に吸入された空気は、吹出溝８と床面やテーブル面等とによって形成される空間を流通して載置台３の長手方向両側面部から外部へ排出される。
【００４３】
尚、図７及び図８に示すように、各通気孔２１は、プロジェクタ本体２が凹部５に載置されて投影する場合に、凹部５内の窪み部７に対向する外周面と、この凹部５の外側に対向する外周面とに設けられるように形成されている。
【００４４】
例えば、各通気孔２１の他の形成例を図９及び図１０に基づいて説明する。図９は他の実施例のプロジェクタ本体６０を載置台３に載置して真上へ投影する状態における、冷却ファン４の駆動によって形成される空気の流通路６１の一例を示す断面図である。図１０は他の実施例のプロジェクタ本体６０を載置台３に載置してほぼ水平に投影する状態における、冷却ファン４の駆動によって形成される空気の流通路６１の一例を示す断面図である。
【００４５】
図９及び図１０に示すように、プロジェクタ本体６０の外周面における各通気孔２１の最大間隔を、窪み部７の上端周縁部内に位置するように形成するようにしてもよい。つまり、各通気孔２１の最大間隔（実際には、最大間隔＋通気孔直径）を、窪み部７の上端周縁部の最大直径より小さくする。これにより、窪み部７の中のみに位置する通気孔２１が必ず１つは存在する（凹部５の直径はプロジェクタ本体２の直径よりも小さいので当然凹部５の外側にも必ず通気孔２１（吸気用）が存在する）ので、ここからプロジェクタ本体２の内部の空気を排気でき、効率的な冷却を行うことができる。また、各通気孔２１は、プロジェクタ本体６０が凹部５に載置されて投影する場合に、凹部５内の窪み部７に対向する外周面と、この凹部５と対向しない外周面とに設けられるように形成することが可能となる。
【００４６】
これにより、図９及び図１０に示すように、冷却ファン４を矢印Ｘ２方向に回転させて連通孔１０からファン回転軸方向に沿って空気を吸入させることによって、先ず、プロジェクタ本体６０の凹部５の外側に対向する各通気孔２１から、該プロジェクタ本体６０内部に導入される空気の流通路６１が形成される。そして、導入された空気は、プロジェクタ本体６０の内部空間に配置される光変調素子２５や各ヒートシンク２６等の表面に沿って流通する流通路６１を形成する。ここで、導入された空気が、各ヒートシンク２６等の表面に沿って流通する際、各ＬＥＤ２２Ｒ、２２Ｇ、２２Ｂから熱が伝達された当該各ヒートシンク２６が冷却されるため、各ＬＥＤ２２Ｒ、２２Ｇ、２２Ｂを効果的に冷却することができる。
【００４７】
そして、プロジェクタ本体６０の内部空間を流通した空気は、凹部５内の窪み部７に対向する各通気孔２１から該窪み部７に向けて吐出され、連通孔１０内を流通し、冷却ファン４に、吸入される流通路６１を形成する。この冷却ファン４に吸入された空気は、吹出溝８と床面やテーブル面等とによって形成される空間を流通して載置台３の長手方向両側面部から外部へ排出される。
【００４８】
以上説明した通り、本実施例に係るプロジェクタ１では、球形のプロジェクタ本体２が上面部に載置される載置台３に設けられた給電回路部１５及び給電コイル１３を介して電力を当該プロジェクタ本体２へ供給することが可能となり、コードレスで球形プロジェクタ本体２に電力を供給することが可能となる。従って、プロジェクタ本体２を載置台３の上面部に形成された凹部５に任意の方向に向けて載置することが可能となり、投影方向を自由自在に変更して映像を任意の方向へ容易に投射することが可能となる。
【００４９】
また、載置台３にプロジェクタ本体２の内部を冷却する冷却ファン４を設けることによって、プロジェクタ本体２の小型化を図ることが可能となる。また、冷却ファン４を駆動することによって、プロジェクタ本体２の凹部５と対向しない外周面に形成される各通気孔２１から、載置台３の凹部５に形成された窪み部７に対向する外周面に形成される各通気孔２１へ空気を流す流通路５５を形成することが可能となる。これにより、プロジェクタ本体２内の光変調素子２５や各ＬＥＤ２２Ｒ、２２Ｇ、２２Ｂ等を効果的に冷却して、各ＬＥＤ２２Ｒ、２２Ｇ、２２Ｂの出力の増大化を図り、光源の明るさ十分確保することが可能となる。
【００５０】
また、プロジェクタ本体２が載置台３の凹部５に載置された場合にのみ冷却ファン４を駆動することが可能となり、省電力化を図ることが可能となる。また、プロジェクタ本体２に二次電池３０を設けることによって、当該プロジェクタ本体２だけを持ち運び、自由な場所に置いて任意の方向に映像を投影することが可能となる。
【００５１】
また、プロジェクタ本体２を二次電池３０の電力で駆動する場合には、各ＬＥＤ制御回路部４５Ｒ、４５Ｇ、４５Ｂを介して各ＬＥＤ２２Ｒ、２２Ｇ、２２Ｂの出力を低下させて駆動するため、冷却ファン４を設ける必要が無くなると共に、投影時間を伸ばすことが可能となる。また、光源装置を各ＬＥＤ２２Ｒ、２２Ｇ、２２Ｂ（個体発光素子）で構成することにより、プロジェクタ本体２の消費電力の更なる低減化を図ることが可能となる。
【００５２】
尚、本発明は前記実施例に限定されることはなく、例えば、プロジェクタ本体２が、楕円形状（ラグビーボール形状）であっても有効であり、本発明の要旨を逸脱しない範囲内で種々の改良、変形が可能であることは勿論である。
【図面の簡単な説明】
【００５３】
【図１】本実施例に係るプロジェクタの概略構成を示す斜視図である。
【図２】プロジェクタ本体を載置台に載置して真上へ投影する状態の断面図である。
【図３】図２のＸ１−Ｘ１矢視断面図である。
【図４】載置台の回路構成を示す回路ブロック図である。
【図５】プロジェクタ本体の回路構成を示す回路ブロック図である。
【図６】プロジェクタ本体を載置台から取り外して真上へ投影する状態の断面図である。
【図７】プロジェクタ本体を載置台に載置して真上へ投影する状態における、冷却ファンの駆動によって形成される空気の流通路の一例を示す断面図である。
【図８】プロジェクタ本体を載置台に載置してほぼ水平に投影する状態における、冷却ファンの駆動によって形成される空気の流通路の一例を示す断面図である。
【図９】他の実施例のプロジェクタ本体を載置台に載置して真上へ投影する状態における、冷却ファンの駆動によって形成される空気の流通路の一例を示す断面図である。
【図１０】他の実施例のプロジェクタ本体を載置台に載置してほぼ水平に投影する状態における、冷却ファンの駆動によって形成される空気の流通路の一例を示す断面図である。
【符号の説明】
【００５４】
１              プロジェクタ
２、６０        プロジェクタ本体
３              載置台
４              冷却ファン
５              凹部
６              投射レンズ
７              窪み部
８              吹出溝
１０            連通孔
１３            給電コイル
１５            給電回路部
１６、４４      検知回路
１７、４１      ＣＰＵ
２１            通気孔
２２            光源装置
２２Ｒ          赤色発光ＬＥＤ
２２Ｇ          緑色発光ＬＥＤ
２２Ｂ          青色発光ＬＥＤ
２３            クロスダイクロイックプリズム
２５            光変調素子
２６            ヒートシンク
２８Ａ、２８Ｂ、２８Ｃ            受電コイル
３０            二次電池
３１            電源回路部
３１Ａ          切換回路
３５            ファン駆動回路部
４５Ｒ          赤色発光ＬＥＤ制御回路部
４５Ｇ          緑色発光ＬＥＤ制御回路部
４５Ｂ          青色発光ＬＥＤ制御回路部
５５、６１      流通路
【図１】
2009075509.tif 000003
【図２】
2009075509.tif 000004
【図３】
2009075509.tif 000005
【図４】
2009075509.tif 000006
【図５】
2009075509.tif 000007
【図６】
2009075509.tif 000008
【図７】
2009075509.tif 000009
【図８】
2009075509.tif 000010
【図９】
2009075509.tif 000011
【図１０】
2009075509.tif 000012